(57)【要約】【課題】現地加工を行わずに、迅速かつ容易にその取り付けを行うことができる吊持装置を備えた小荷物専用昇降機を提供する。【解決手段】かご室１の天井板１ａとの間に間隙を有して配置されるクロスヘッド３に設置される吊持装置を備えた小荷物専用昇降機において、前記吊持装置を、クロスヘッド３の底部とかご室天井板との間の間隙に挿入されて配設されるブラケット５と、このブラケット５に連結され、このブラケット５との間で前記クロスヘッド３を挟持する押さえ板６と、前記ブラケット５と前記押さえ板６との間に形成される空隙１０に挿通されて前記かご室を吊持する索状部材９とから構成。【選択図】図１
2006160463.tif 000002
【特許請求の範囲】
【請求項１】
かご室の天井板との間に間隙を有して配置されるクロスヘッドに設置される吊持装置を備えた小荷物専用昇降機において、
前記吊持装置を、クロスヘッドの底部とかご室天井板との間の間隙に挿入されて配設されるブラケットと、このブラケットに連結され、このブラケットとの間で前記クロスヘッドを挟持する押さえ板と、前記ブラケットと前記押さえ板との間に形成される空隙に挿通されて前記かご室を吊持する索状部材とから構成したことを特徴とする小荷物専用昇降機。
【請求項２】
かご室の天井板との間に間隙を有して配置されるクロスヘッドに設置される吊持装置を備えた小荷物専用昇降機において、
前記吊持装置を、前記クロスヘッドの底部とかご室天井板との間の間隙から挿入されて配設されるＬ字ブラケットと、このＬ字ブラケットの２片の端部にそれぞれ連結されるとともに、前記クロスヘッドの頂面に当接し前記Ｌ字ブラケットとの間で前記クロスヘッドを挟持する押さえ板と、前記Ｌ字ブラケットと前記押さえ板との間に形成される空隙に挿通されて前記かご室を吊持する索状部材とから構成したことを特徴とする小荷物専用昇降機。
【請求項３】
請求項２に記載の小荷物専用昇降機において、
前記クロスヘッドを、前記かご室天井板に直交する方向に配設される垂直片と、前記垂直片の頂部から前記かご室天井板と平行する方向に延設される水平片とから成る略Ｌ字状に形成し、かつ、前記Ｌ字ブラケットの一片を前記クロスヘッドの水平片の延設方向端部に当接するように構成したことを特徴とする小荷物専用昇降機。
【請求項４】
請求項３に記載の小荷物専用昇降機において、
前記Ｌ字ブラケットの曲げ部を前記クロスヘッドの水平片の延設方向端部に当接するように構成し、かつ、前記押さえ板の底面を前記クロスヘッドの頂面に当接するように構成したことを特徴とする小荷物専用昇降機。
【発明の詳細な説明】
【技術分野】
【０００１】
本発明は、小荷物専用昇降機のかご室上で作業をする際などにかご室を固定してかご室の落下を防止する吊持装置を備えた小荷物専用昇降機に関する。
【背景技術】
【０００２】
従来、小荷物専用昇降機の吊持装置としては、グリップ装置を主レールに固定し、このグリップ装置に取り付けたチェーンやフックを、かご室の天井とかご室の天井に取り付けられているクロスヘッドとの間に挿通しかご室を固定構成のものが知られていた（特許文献１参照）。
【特許文献１】特開平８−３０１５４８号公報（段落番号００１０〜段落番号００１４、図１）
【発明の開示】
【発明が解決しようとする課題】
【０００３】
しかし上記提案された吊持装置では、かご室の天井とクロスヘッドの隙間が狭い機種はチェーンやフックが挿入不可の場合があり、特に既設品は取り付けのために現地加工をしなければならないという問題があった。
【０００４】
本発明は、上述した問題点に鑑みてなされたもので、その目的は、現地加工を行わずに、迅速かつ容易にその取り付けを行うことができる吊持装置を備えた小荷物専用昇降機を提供するにある。
【課題を解決するための手段】
【０００５】
上記目的を達成するため、請求項１に係わる本発明は、かご室の天井板との間に間隙を有して配置されるクロスヘッドに設置される吊持装置を備えた小荷物専用昇降機において、前記吊持装置を、クロスヘッドの底部とかご室天井板との間の間隙に挿入されて配設されるブラケットと、このブラケットに連結され、このブラケットとの間で前記クロスヘッドを挟持する押さえ板と、前記ブラケットと前記押さえ板との間に形成される空隙に挿通されて前記かご室を吊持する索状部材とから構成したことを特徴とする。
【０００６】
上記請求項１の構成により、ブラケットを挿入し、押さえ板を連結するだけで現地加工を行わずに、迅速かつ容易に吊持装置の取り付けを行うことができる。
【０００７】
さらに請求項２に係る発明は、かご室の天井板との間に間隙を有して配置されるクロスヘッドに設置される吊持装置を備えた小荷物専用昇降機において、前記吊持装置を、前記クロスヘッドの底部とかご室天井板との間の間隙から挿入されて配設されるＬ字ブラケットと、このＬ字ブラケットの２片の端部にそれぞれ連結されるとともに、前記クロスヘッドの頂面に当接し前記Ｌ字ブラケットとの間で前記クロスヘッドを挟持する押さえ板と、前記Ｌ字ブラケットと前記押さえ板との間に形成される空隙に挿通されて前記かご室を吊持する索状部材とから構成したことを特徴とする。
【０００８】
上記請求項２の発明によれば、Ｌ字ブラケットをかご室の天井板との間に間隙に挿入して、このＬ字ブラケットの２片の端部に押さえ板を連結すれば、迅速且つ容易に現地加工なしにその取り付けを行うことが出来る。
【０００９】
さらに、請求項３に係わる本発明は、前記クロスヘッドを、前記かご室天井板に直交する方向に配設される垂直片と、前記垂直片の頂部から前記かご室天井板と平行する方向に延設される水平片とから成る略Ｌ字状に形成し、かつ、前記Ｌ字ブラケットの一片を前記クロスヘッドの水平片の延設方向端部に当接するように構成したことを特徴とする。
【００１０】
上記請求項３の発明によれば、前記Ｌ字ブラケットの一片が前記Ｌ字状クロスヘッドの２つの端部で当接させれば、垂直、水平方向の位置が決まった状態で迅速かつ容易にその取り付けを行うことができる。
【００１１】
さらに、請求項４に係わる本発明は、前記Ｌ字ブラケットの曲げ部を前記クロスヘッドの水平片の延設方向端部に当接するように構成し、かつ、前記押さえ板の底面を前記クロスヘッドの頂面に当接するように構成したことを特徴とする。
【００１２】
上記請求項４の発明によれば、前記Ｌ字ブラケットの曲げ部が前記Ｌ字状クロスヘッドの端部で当接し、かつ前記押さえ板の底面が前記クロスヘッドの頂面に当接させれば、迅速かつ容易に垂直、水平方向の位置が決まった状態で吊持装置の取り付けを行うことができる。
【発明の効果】
【００１３】
本発明によれば、現地加工を行わずに、迅速かつ容易にその取り付けを行うことができる吊持装置を備えた小荷物専用昇降機を提供することができる。
【発明を実施するための最良の形態】
【００１４】
以下、本発明に係る小荷物専用昇降機の一実施形態を図面に基づいて説明する。
【００１５】
図１は本発明の一実施形態に係わる小荷物専用昇降機を示す全体斜視面図、図２は図1の側面図である。
【００１６】
図に示すように、本発明である小荷物専用昇降機の吊持装置は、クロスヘッド３の底部とかご室１の天井板１aとの間の間隙より薄い板厚を有するＬ字ブラケット５と、前記クロスヘッド３の頂面に当接する押さえ板６を、各両端部に配置した連結手段７により連結し、この２部材の間に形成される間隙１０からかご室を吊持するチェーンやフックなどの索状部材９を挿通した構成となっている。
【００１７】
また、前記クロスヘッド３は前記かご室天井板１ａに直交する方向に配設される垂直片３ａと、この垂直片３ａの頂部から前記かご室天井板と平行する方向に延設される水平片３ｂとからなる略Ｌ字状に形成されており、前記Ｌ字ブラケット５の一片５ａが前記クロスヘッド３の水平片３ｂの延設方向端部３ｄに当接するように構成されている。
【００１８】
また、前記Ｌ字ブラケット５の曲げ部５ｂが前記クロスヘッド３の垂直片３ａの延設方向端部３ｃに当接し、かつ前記押さえ板６の底面６ａが前記クロスヘッドの水平片３ｂの頂面に当接するように構成されている。
【００１９】
また、前記押さえ板６の両端部６ｂ、６ｃは、Ｌ字ブラケット５の両端部５ｃ、５ｄと接合できるように折り曲げられている。
【００２０】
ここで、前記クロスヘッド３は図２のようにＬ形状でもよいし、Ｉ形状、Ｕ形状でもよい。
【００２１】
次に、吊持装置の取り付け方法について説明する。
【００２２】
前記クロスヘッド３に、吊持装置を取り付けるには、まずＬ字ブラケット５をクロスヘッド３の底部とかご室天井板１aとの間の間隙より挿入し、図２のように取り付ける。次に、押さえ板６の底面６ａをクロスヘッド３の水平片３ｂの頂面に合わせ、前記押さえ板６の両端部６ｂ、６ｃとＬ字ブラケット５の両端部５ｃ、５ｄとをボルト、ナット等の連結手段７にて連結する。そして、その２部材の間に形成される間隙１０からかご室を吊持するチェーンやフックなどの索状部材９を挿通させ、レール（図示せず）やレールブラケット（図示せず）に固定する。
【００２３】
ここで、前記クロスヘッド３をＬ字状に形成し、前記Ｌ字ブラケット５の一片５ａが前記クロスヘッド３の水平片３ｂの延設方向端部３ｄに当接する寸法としてあるので、上下、左右方向への移動が阻止され、取付け位置を容易に確定でき、迅速かつ容易に決められた位置に取り付けることができる。
【００２４】
また、ここで、前記Ｌ字ブラケット５の曲げ部５ｂが前記クロスヘッド３の垂直片３ａの延設方向端部３ｃに当接し、かつ前記押さえ板６の底面６ａが前記クロスヘッドの水平片３ｂの頂面に当接する寸法としてあるので、上下左右方向への移動が阻止され、迅速かつ容易に決められた位置に取り付けることができる。
【００２５】
上記実施形態の吊持装置によれば、クロスヘッド３の底部とかご室天井板１aとの間の間隙が狭い場合でも、現地加工をせずに、迅速かつ容易に取り付けることができる。
【００２６】
また、吊持装置は一度取り付けた後はそのまま常設しても良いし、作業時のみ取り付けても良い。
【図面の簡単な説明】
【００２７】
【図１】本発明の一実施形態に係わる小荷物専用昇降機を示す全体斜視面図である。
【図２】図1の側面図である。
【符号の説明】
【００２８】
１      かご室
１ａ    かご室天井板
３      クロスヘッド
３ａ    垂直片
３ｂ    水平片
５      Ｌ字ブラケット
５ａ    Ｌ字ブラケットの一片
６      押さえ板
７      連結手段
９      索状部材
【図１】
2006160463.tif 000003
【図２】
2006160463.tif 000004